【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
アクセサリに設けられた第１のマウントと結合可能な第２のマウントを有するマウント装置であって、
前記第１のマウントに設けられた複数の第１の爪部とバヨネット結合方式での結合が可能な複数の第２の爪部と、
前記第２のマウントの周方向に沿って配され、電気的な接続に用いる複数の接点ピンと、
前記複数の接点ピンを保持する保持部と、
前記複数の第１の爪部を前記第２のマウントの中心軸と平行な方向に付勢する付勢手段と、
を有し、
前記マウント装置は、前記複数の第１の爪部に対して前記複数の第２の爪部が相対的に回転することで、前記複数の第２の爪部が前記複数の第１の爪部のそれぞれの間に挿入された第１の状態と、前記複数の第２の爪部と前記複数の第１の爪部のそれぞれが前記中心軸と平行な方向で係合する第２の状態と、に遷移でき、
前記保持部は、前記中心軸と平行な方向において、前記複数の接点ピンを保持する位置が異なる第１の段および第２の段を備え、
前記付勢手段は、前記マウント装置の前記第２の状態において、前記複数の第２の爪部のうちの所定の１つの爪部と前記複数の第２の爪部のうちの所定の１つの爪部とが係合した状態で、前記複数の第１の爪部のうちの前記所定の１つの爪部を前記中心軸と平行な方向に付勢し、
前記複数の接点ピンは、前記第１の段に配された前記複数の接点ピンのうち、前記第１の段に配された他の接点ピンよりも前記第２の段から離れた位置に配されている第１の接点ピンが、前記第２のマウントの径方向において前記付勢手段と重畳する位置に配されていることを特徴とするマウント装置。
【請求項２】
前記第１の接点ピンは、前記第１の段に配された前記複数の接点ピンの中で、前記マウント装置を前記第１の状態から前記第２の状態に遷移させる間において前記アクセサリの前記複数の接点面の何れかと接触する回数が、前記第１の段に配された前記他の接点ピンよりも多いことを特徴とする請求項１に記載のマウント装置。
【請求項３】
前記複数の接点ピンは、前記第１の接点ピンと隣り合って配された第２の接点ピンを含み、
前記第２の接点ピンは、前記第２のマウントの径方向において、前記付勢手段と重畳する位置に配されていることを特徴とする請求項２に記載のマウント装置。
【請求項４】
前記第１の接点ピンは、前記複数の接点ピンの何れかに対応するグランドレベルを示す接点であって、
前記第２の接点ピンは、前記第２の状態において、前記アクセサリに設けられた対応する接点面との通信に用いる接点であることを特徴とする請求項２に記載のマウント装置。
【請求項５】
前記複数の接点ピンのうち、前記第１の段に配された接点ピンの数が、前記第２の段に配された接点ピンの数よりも多いことを特徴とする請求項１乃至４の何れか一項に記載のマウント装置。
【請求項６】
前記複数の接点ピンは、前記保持部の前記第１の段に配された接点ピンの数が、前記保持部の前記第２の段に配された接点ピンの数の２倍であることを特徴とする請求項５に記載のマウント装置。
【請求項７】
前記第１の段に配された前記複数の接点ピンのうち、前記第１の段に配された接点ピンの数から前記第２の段に配された接点ピンの数を引いた数の接点ピンが、前記第２のマウントの前記径方向で前記付勢手段と重畳する位置に配されていることを特徴とする請求項６に記載のマウント装置。
【請求項８】
前記付勢手段は、前記マウント装置の前記第２の状態において、前記複数の第２の爪部のうちの前記所定の１つの爪部と前記複数の第１の爪部のうちの前記所定の１つの爪部との間において、前記前記複数の第１の爪部のうちの前記所定の１つの爪部を前記中心軸と平行な方向に付勢する板バネであることを特徴とする請求項１乃至７の何れか一項に記載のマウント装置。
【請求項９】
請求項１乃至８の何れか１項に記載のマウント装置を備えた撮像装置であって、
被写体を撮像する撮像手段を備えることを特徴とする撮像装置。
【請求項１０】
請求項１乃至８の何れか１項に記載のマウント装置を備えたアダプタ装置であって、
前記マウント装置は、前記アダプタ装置の一方の側に設けられていることを特徴とするアダプタ装置。
【請求項１１】
マウント装置に設けられた第２のマウントと結合可能な第１のマウントを有するアクセサリであって、
前記第２のマウントに設けられた複数の第２の爪部とバヨネット結合方式での結合が可能な複数の第１の爪部と、
前記第２のマウントの周方向に沿って配され、電気的な接続に用いる複数の接点面と、
前記複数の接点面を保持する保持部と、
を有し、
前記アクセサリは、前記複数の第２の爪部に対して前記複数の第１の爪部が相対的に回転することで、前記複数の第１の爪部のそれぞれの間に前記複数の第２の爪部のそれぞれが挿入された第１の状態と、前記複数の第１の爪部のそれぞれが前記複数の第２の爪部のそれぞれと前記第２のマウントの中心軸と平行な方向で係合する第２の状態と、遷移でき、
前記保持部は、前記中心軸と平行な方向において、前記複数の接点面を保持する位置が異なる第１の段および第２の段を備え、
前記複数の接点面は、前記第１の段に配された前記複数の接点面のうち、前記第２の状態において、前記第１の段に配された他の接点面よりも前記第２の段から離れた位置に配されている第１の接点面が、前記複数の第１の爪部のうちの所定の爪部を前記中心軸と平行な方向に付勢するために前記マウント装置に設けられた付勢手段と、前記第２のマウントの径方向において重畳する位置に配されていることを特徴とするアクセサリ。
【請求項１２】
前記第１の接点面は、前記第１の段に配された前記複数の接点面の中で、前記アクセサリを前記第１の状態から前記第２の状態に遷移させる間において前記マウント装置の前記複数の接点ピンの何れかと接触する回数が、前記第１の段に配された前記他の接点面よりも少ないことを特徴とする請求項１１に記載のアクセサリ。
【請求項１３】
前記複数の接点面は、前記第１の接点面と隣り合って配された第２の接点面を備え、
前記第２の接点面は、前記第２の状態において、前記マウント装置の前記付勢手段と前記第１のマウントの径方向において重畳することを特徴とする請求項１２に記載のアクセサリ。
【請求項１４】
前記第１の接点面は、前記複数の接点面の何れかに対応するグランドレベルを示す接点であって、
前記第２の接点面は、前記第２の状態において、前記マウント装置に設けられた対応する接点ピンとの通信に用いる接点であることを特徴とする請求項１３に記載の撮像装置。
【請求項１５】
前記複数の接点面のうち、前記第１の段に配された接点面の数が、前記第２の段に配された接点面の数よりも多いことを特徴とする請求項１１乃至１４の何れか一項に記載のアクセサリ。
【請求項１６】
前記複数の接点面は、前記保持部の前記第１の段に配された接点面の数が、前記保持部の前記第２の段に配された接点面の数の２倍であることを特徴とする請求項１５に記載のアクセサリ。
【請求項１７】
前記アクセサリの前記第２の状態において、前記第１の段に配された前記複数の接点面のうち、前記第１の段に配された接点面の数から前記第２の段に配された接点面の数を引いた数の接点面が、前記第１のマウントの前記径方向で前記マウント装置の前記付勢手段と重畳する位置に配されていることを特徴とする請求項１６に記載のアクセサリ。
【請求項１８】
前記アクセサリは、交換レンズであることを特徴とする請求項１１乃至１７の何れか一項に記載のアクセサリ。
【請求項１９】
前記アクセサリは、アダプタ装置であることを特徴とする請求項１１乃至１７の何れか一項に記載のアクセサリ。
【手続補正２】
【補正対象書類名】明細書
【補正対象項目名】発明の名称
【補正方法】変更
【補正の内容】
【発明の名称】マウント装置、撮像装置、アダプタ装置およびアクセサリ
【手続補正３】
【補正対象書類名】明細書
【補正対象項目名】０００１
【補正方法】変更
【補正の内容】
【０００１】
本発明は、マウント装置、撮像装置、アダプタ装置およびアクセサリに関する。
【手続補正４】
【補正対象書類名】明細書
【補正対象項目名】０００９
【補正方法】変更
【補正の内容】
【０００９】
本発明の目的は、互いに係合可能な関係のマウントにおける接点の摩耗を低減することである。
【手続補正５】
【補正対象書類名】明細書
【補正対象項目名】００１０
【補正方法】変更
【補正の内容】
【００１０】
上記目的を達成するために、本発明のマウント装置は、アクセサリに設けられた第１のマウントと結合可能な第２のマウントを有するマウント装置であって、前記第１のマウントに設けられた複数の第１の爪部とバヨネット結合方式での結合が可能な複数の第２の爪部と、前記第２のマウントの周方向に沿って配され、電気的な接続に用いる複数の接点ピンと、前記複数の接点ピンを保持する保持部と、前記複数の第１の爪部を前記第２のマウントの中心軸と平行な方向に付勢する付勢手段と、を有し、前記マウント装置は、前記複数の第１の爪部に対して前記複数の第２の爪部が相対的に回転することで、前記複数の第２の爪部が前記複数の第１の爪部のそれぞれの間に挿入された第１の状態と、前記複数の第２の爪部と前記複数の第１の爪部のそれぞれが前記中心軸と平行な方向で係合する第２の状態と、に遷移でき、前記保持部は、前記中心軸と平行な方向において、前記複数の接点ピンを保持する位置が異なる第１の段および第２の段を備え、前記付勢手段は、前記マウント装置の前記第２の状態において、前記複数の第２の爪部のうちの所定の１つの爪部と前記複数の第２の爪部のうちの所定の１つの爪部とが係合した状態で、前記複数の第１の爪部のうちの前記所定の１つの爪部を前記中心軸と平行な方向に付勢し、前記複数の接点ピンは、前記第１の段に配された前記複数の接点ピンのうち、前記第１の段に配された他の接点ピンよりも前記第２の段から離れた位置に配されている第１の接点ピンが、前記第２のマウントの径方向において前記付勢手段と重畳する位置に配されていることを特徴とする。
【手続補正６】
【補正対象書類名】明細書
【補正対象項目名】００１１
【補正方法】変更
【補正の内容】
【００１１】
本発明によれば、互いに係合可能な関係のマウントにおける接点の摩耗を低減することができる。